(57)【要約】【課題】電子機器装置において、表示ユニットの回動角度を検出する構成を低コストで実現すると共に、表示ユニットの回動角度を検出する構成の設計の自由度を高くし、かつ、デザイン性を優れたものにする。【解決手段】電子機器装置である光ディスク再生装置１は、表示ユニット３がヒンジユニット４を介して本体ユニット２に取付けられている。表示ユニット３は、検出スイッチ３４及び伝達レバー３５を備え、検出スイッチ３４及び伝達レバー３５は、表示ユニット３内に設けられている。ヒンジユニット４のヒンジカバー４４は、レバー駆動部４５を有し、レバー駆動部４５は、表示ユニット３内に延伸されている。伝達レバー３５は、表示ユニット３が本体ユニット２に対して第１の回動中心軸Ｃ１の軸回りに回動するとき、表示ユニット３と共にレバー駆動部４５に対して回動することにより、レバー駆動部４５により駆動されて、検出スイッチ３４を切り換える。【選択図】図１
2011209884.tif 000002
【特許請求の範囲】
【請求項１】
画像を表示するための表示ユニットが２軸に回動可能なヒンジユニットを介して本体ユニットに取付けられ、前記表示ユニットが前記本体ユニットに対して２軸に回動可能に構成された電子機器装置において、
前記ヒンジユニットは、前記表示ユニットに結合される表示側結合部と、前記本体ユニットに結合される本体側結合部と、前記表示側結合部と前記本体側結合部とを回動可能に連結したヒンジ機構部と、前記ヒンジ機構部を覆うヒンジカバーとを有し、
前記表示ユニットの回動角度を検出するための検出スイッチと、
前記検出スイッチを切り換えるための伝達レバーとを備え、
前記検出スイッチ及び前記伝達レバーは、前記表示ユニットの内部に設けられており、
前記ヒンジカバーは、前記伝達レバーを駆動するためのレバー駆動部を有し、
前記レバー駆動部は、前記表示ユニットの内部に延伸されており、
前記表示ユニットは、前記本体ユニットに対して回動するとき、前記レバー駆動部に対して回動し、
前記伝達レバーは、前記表示ユニットが前記本体ユニットに対して回動するときに、前記表示ユニットと共に前記レバー駆動部に対して回動し、このレバー駆動部に対する回動に伴って、前記レバー駆動部により駆動されて、前記検出スイッチを切り換える、
ことを特徴とする電子機器装置。
【請求項２】
前記レバー駆動部は、起伏を有するように形成されており、
前記伝達レバーは、バネにより付勢された状態で前記レバー駆動部に当接されており、前記表示ユニットが前記本体ユニットに対して回動するときに、該伝達レバーが前記表示ユニットと共に前記レバー駆動部に対して回動することにより、該伝達レバーの前記レバー駆動部への当接点が前記レバー駆動部に形成された起伏に沿って変化する、
ことを特徴とする請求項１に記載の電子機器装置。
【請求項３】
前記検出スイッチは、押しボタンスイッチであり、該押しボタンの変位によって、第１の状態と第２の状態とに切り換えられるようになっており、
前記伝達レバーは、前記レバー駆動部によって駆動されることにより、前記検出スイッチの押しボタンを変位させて、前記検出スイッチを第１の状態と第２の状態とに切り換える、
ことを特徴とする請求項１に記載の電子機器装置。
【請求項４】
前記検出スイッチは、第１の状態と第２の状態とに切り換えられるようになっており、
前記伝達レバーは、
前記表示ユニットの回動角度が、前記表示ユニットを前記本体ユニットから広げた状態にされたときの回動角度であるときに、前記検出スイッチを第１の状態にし、
前記表示ユニットの回動角度が、前記表示ユニットを前記本体ユニットに折り畳んだ状態にされたときの回動角度であるときに、前記検出スイッチを第２の状態にし、
前記検出スイッチの出力に基いて、前記表示ユニットを前記本体ユニットに折り畳んだ状態にされたことを判定する判定手段をさらに備え、
前記判定手段は、前記検出スイッチから前記第２の状態であることを示す信号が所定時間以上継続して出力された場合に、前記表示ユニットを前記本体ユニットに折り畳んだ状態にされたと判定する、
ことを特徴とする請求項１に記載の電子機器装置。
【請求項５】
前記本体ユニットは、光ディスクから記録データを読取る光ディスク読取ユニットを備え、
前記表示ユニットは、前記光ディスク読取ユニットにより光ディスクから読取った記録データに基く画像を表示する、
ことを特徴とする請求項１に記載の電子機器装置。
【発明の詳細な説明】
【技術分野】
【０００１】
本発明は、画像を表示する機能を備える電子機器装置に関するものである。
【背景技術】
【０００２】
従来から、画像を表示する機能を備える電子機器装置において、画像を表示するための表示ユニットがヒンジユニットを介して本体ユニットに取付けられ、表示ユニットが本体ユニットに対して回動可能になっているものがある。ヒンジユニットは、表示ユニットに結合される表示側結合部と、本体ユニットに結合される本体側結合部とが、ヒンジ機構部によって相対的に回動可能に連結されており、また、ヒンジ機構部の表示ユニットと本体ユニットの両方の外部に位置する部分がヒンジカバーによって覆われている。このような電子機器装置には、表示ユニットの回動角度（表示ユニットを閉じた状態であるか否か）を検出する機能を有するものがある。
【０００３】
このような表示ユニットの回動角度を検出する機能を有する電子機器装置において、表示ユニットの表面及びヒンジカバーの表面に突起を形成すると共に、本体ユニットの表面にスイッチを配置して、表示ユニットを閉じた状態にされたときに、突起がスイッチを押すように構成し、そして、スイッチの出力に基いて、表示ユニットの回動角度を検出するようにしたものが知られている（例えば特許文献１参照）。また、ヒンジユニットの回動軸部材にカム部を一体的に形成すると共に、本体ユニット内にレバーとスイッチを配置して、表示ユニットを閉じた状態にされたときに、カム部がレバーを駆動して、レバーがスイッチを押すように構成し、そして、スイッチの出力に基いて、表示ユニットの回動角度を検出するようにしたものが知られている（例えば特許文献２参照）。また、ヒンジカバーに突起を形成すると共に、本体ユニット内にスイッチを配置して、表示ユニットを閉じた状態にされたときに、突起がスイッチを押すように構成し、そして、スイッチの出力に基いて、表示ユニットの回動角度を検出するようにしたものが知られている（例えば特許文献３参照）。また、ヒンジユニットの回動軸部材にカム部を一体的に形成すると共に、本体ユニット内にスイッチを配置して、表示ユニットを閉じた状態にされたときに、カム部がスイッチを押すように構成し、そして、スイッチの出力に基いて、表示ユニットの回動角度を検出するようにしたものが知られている（例えば特許文献４参照）。また、表示ユニット内に回転角センサを設け、回転角センサの出力に基いて、表示ユニットの回動角度を検出するようにしたものが知られている（例えば特許文献５参照）。また、マグネットやホール素子を用いた非接触式のセンサによって、表示ユニットの回動角度を検出するようにしたものも知られている。
【先行技術文献】
【特許文献】
【０００４】
【特許文献１】特開２００４−１６４５１８号公報
【特許文献２】特開２００３−９１３３２号公報
【特許文献３】特開２００９−１４７８５７号公報
【特許文献４】特開平１０−２６８９７１号公報
【特許文献５】特開２００５−９２７０２号公報
【発明の概要】
【発明が解決しようとする課題】
【０００５】
ところで、ヒンジカバーに形成した突起や、ヒンジユニットの回動軸部材に形成したカム部によって、直接にスイッチを押すようにして、表示ユニットの回動角度を検出するようにしたのでは、スイッチの位置などに制約が生じ、設計の自由度が低い。また、回転角センサや、マグネットやホール素子を用いた非接触式のセンサによって、表示ユニットの回動角度を検出するようにしたのでは、それらのセンサが高価であるため、コストアップになる。また、表示ユニットの表面、本体ユニットの表面、又はヒンジカバーの表面に、突起を設けたり、スイッチを配置して、表示ユニットの回動角度を検出するようにしたのでは、美観を損ね、デザイン性が悪くなる。
【０００６】
表示ユニットの回動角度を検出する構成を備えた電子機器装置においては、（１）表示ユニットの回動角度を検出する構成が低コストであること、（２）表示ユニットの回動角度を検出する構成の設計の自由度が高いこと、及び（３）デザイン性が優れていること、の３つの要素を兼ね備えることが要望されている。これら３つの要素を兼ね備えた電子機器装置は、実現されていない。
【０００７】
本発明は、上記課題を解決するためになされたものであり、表示ユニットの回動角度を検出する構成を低コストで実現できると共に、表示ユニットの回動角度を検出する構成の設計の自由度が高く、かつ、デザイン性の優れた電子機器装置を提供することを目的とする。
【課題を解決するための手段】
【０００８】
上記目的を達成するために請求項１の発明は、画像を表示するための表示ユニットが２軸に回動可能なヒンジユニットを介して本体ユニットに取付けられ、表示ユニットが本体ユニットに対して２軸に回動可能に構成された電子機器装置において、ヒンジユニットは、表示ユニットに結合される表示側結合部と、本体ユニットに結合される本体側結合部と、表示側結合部と本体側結合部とを回動可能に連結したヒンジ機構部と、ヒンジ機構部を覆うヒンジカバーとを有し、表示ユニットの回動角度を検出するための検出スイッチと、検出スイッチを切り換えるための伝達レバーとを備え、検出スイッチ及び伝達レバーは、表示ユニットの内部に設けられており、ヒンジカバーは、伝達レバーを駆動するためのレバー駆動部を有し、レバー駆動部は、表示ユニットの内部に延伸されており、表示ユニットは、本体ユニットに対して回動するとき、レバー駆動部に対して回動し、伝達レバーは、表示ユニットが本体ユニットに対して回動するときに、表示ユニットと共にレバー駆動部に対して回動し、このレバー駆動部に対する回動に伴って、レバー駆動部により駆動されて、検出スイッチを切り換えるものである。
【０００９】
請求項２の発明は、請求項１に記載の電子機器装置において、レバー駆動部は、起伏を有するように形成されており、伝達レバーは、バネにより付勢された状態でレバー駆動部に当接されており、表示ユニットが本体ユニットに対して回動するときに、該伝達レバーが表示ユニットと共にレバー駆動部に対して回動することにより、該伝達レバーのレバー駆動部への当接点がレバー駆動部に形成された起伏に沿って変化するものである。
【００１０】
請求項３の発明は、請求項１に記載の電子機器装置において、検出スイッチは、押しボタンスイッチであり、該押しボタンの変位によって、第１の状態と第２の状態とに切り換えられるようになっており、伝達レバーは、レバー駆動部によって駆動されることにより、検出スイッチの押しボタンを変位させて、検出スイッチを第１の状態と第２の状態とに切り換えるものである。
【００１１】
請求項４の発明は、請求項１に記載の電子機器装置において、検出スイッチは、第１の状態と第２の状態とに切り換えられるようになっており、伝達レバーは、表示ユニットの回動角度が、表示ユニットを本体ユニットから広げた状態にされたときの回動角度であるときに、検出スイッチを第１の状態にし、表示ユニットの回動角度が、表示ユニットを本体ユニットに折り畳んだ状態にされたときの回動角度であるときに、検出スイッチを第２の状態にし、検出スイッチの出力に基いて、表示ユニットを本体ユニットに折り畳んだ状態にされたことを判定する判定手段をさらに備え、判定手段は、検出スイッチから第２の状態であることを示す信号が所定時間以上継続して出力された場合に、表示ユニットを本体ユニットに折り畳んだ状態にされたと判定するものである。
【００１２】
請求項５の発明は、請求項１に記載の電子機器装置において、本体ユニットは、光ディスクから記録データを読取る光ディスク読取ユニットを備え、表示ユニットは、光ディスク読取ユニットにより光ディスクから読取った記録データに基く画像を表示するものである。
【発明の効果】
【００１３】
請求項１乃至請求項３の発明によれば、表示ユニットが本体ユニットに対して回動すると、伝達レバーがレバー駆動部により駆動されて、検出スイッチが切り換えられる。従って、この検出スイッチの出力に基いて、表示ユニットの本体ユニットに対する回動角度を検出することができる。しかも、ヒンジカバーを樹脂製にすることで、レバー駆動部を樹脂によってヒンジカバーと一体的に容易に作製することができ、表示ユニットの回動角度を検出する構成を低コストで実現できる。また、伝達レバーによって検出スイッチを切り換えるようにしているため、伝達レバーの形状を変更することで、検出スイッチの位置などを自由に設計変更することができ、表示ユニットの回動角度を検出する構成の設計の自由度が高い。さらに、検出スイッチ、伝達レバー、及びレバー駆動部が表示ユニットの内部にあるため、デザイン性を優れたものにすることができる。
【００１４】
請求項４の発明によれば、検出スイッチの出力に基いて、表示ユニットを本体ユニットに折り畳んだ状態にされたことが判定される。このとき、検出スイッチから第２の状態である（すなわち表示ユニットの回動角度が、表示ユニットを本体ユニットに折り畳んだ状態にされたときの回動角度である）ことを示す信号が所定時間以上継続して出力された場合に、表示ユニットを本体ユニットに折り畳んだ状態にされたと判定される。従って、例えば、ユーザが表示ユニットの回動角度を変化させるときに、表示ユニットの回動角度が、一時的に、本体ユニットに折り畳んだ状態の回動角度になったとしても、表示ユニットを本体ユニットに折り畳んだ状態にされたと判定されることがなく、表示ユニットを本体ユニットに折り畳んだ状態にされたと誤判定されるのを防ぐことができる。そして、表示ユニットの回動角度が、所定時間以上、本体ユニットに折り畳んだ状態の回動角度に保たれた場合（つまり、表示ユニットに表示される画像を見ない（光ディスク再生装置を使用しない）ことの意図をもって、表示ユニットが折り畳まれた場合）に、表示ユニットを本体ユニットに折り畳んだ状態にされたと判定することができる。
【００１５】
請求項５の発明によれば、光ディスクから読取った記録データに基く画像を表示する電子機器装置において、請求項１と同様の効果が得られる。
【図面の簡単な説明】
【００１６】
【図１】（ａ）は本発明の一実施形態に係る光ディスク再生装置の概略構成を示す、表示ユニットを開いた状態の斜視図、（ｂ）は同表示ユニットを閉じた状態の斜視図。
【図２】同光ディスク再生装置の分解斜視図。
【図３】（ａ）は同光ディスク再生装置の表示ユニットの回動角度を検出する構成を示す、表示ユニットを開いた状態の表示ケースを一部破断した部分拡大した正面図、（ｂ）は同表示ユニットを開いた状態の部分拡大した断面図、（ｃ）は同表示ユニットを閉じた状態の部分拡大した断面図。
【図４】（ａ）は同光ディスク読取装置の表示ユニットの回動角度を検出する別の構成を示す、表示ユニットを開いた状態の断面図、（ｂ）は同表示ユニットを閉じた状態の断面図。
【発明を実施するための形態】
【００１７】
以下、本発明を具体化した実施形態による電子機器装置について図面を参照して説明する。図１（ａ）（ｂ）、図２は、本実施形態による電子機器装置である光ディスク再生装置の構成を示す。光ディスク再生装置１は、例えばＤＶＤやＢＤ等の光ディスクから画像を再生する装置である。この光ディスク再生装置１は、携帯型のものである。
【００１８】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている。
【００１９】
本体ユニット２は、光ディスクから記録データを読取る光ディスク読取ユニット２１と、光ディスク読取ユニット２１を収納する本体ケース２２と、カバー２３と、内蓋２４とを有する。本体ケース２２は、本体ケース２２の下側部分を占める下ケース２２ａと、本体ケース２２の上側部分を占める上ケース２２ｂとを有しており、下ケース２２ａと上ケース２２ｂが相互に結合されている。
【００２０】
光ディスク読取ユニット２１は、その一部（光ディスクを回転させるためのスピンドルモータ２１ａ、及び光ディスクから記録データを読取る光読取ヘッド２１ｂ等）が、上ケース２２ｂに設けられた読取開口２２ｃに臨んでいる。読取開口２２ｃの上に、光ディスクが装着されるようになっている。カバー２３は、上ケース２２ｂに設けられたヒンジ結合開口２２ｄを塞ぐように、本体ケース２２の上ケース２２ｂに装着されている。内蓋２４は、光ディスクが装着される領域に対して開閉可能なように、本体ケース２２の上ケース２２ｂに回動自在に装着されている。
【００２１】
表示ユニット３は、画像を表示するためのものであり、画像を表示する液晶パネル３１と、液晶パネル３１を駆動するための回路基板３２と、液晶パネル３１及び回路基板３２を収納する表示ケース３３とを有する。
【００２２】
表示ケース３３は、表示ケース３３の前側部分を占める前ケース３３ａと、表示ケース３３の後側部分を占める後ケース３３ｂとを有しており、前ケース３３ａと後ケース３３ｂが相互に結合されている。液晶パネル３１は、前ケース３３ａに設けられた表示開口３３ｃに臨んでいる。表示ユニット３は、本体ユニット２の光ディスク読取ユニット２１により光ディスクから読取った記録データに基く画像を表示する。
【００２３】
ヒンジユニット４は、図２に示すように、表示ユニット３に結合される表示側結合部４１と、本体ユニット２に結合される本体側結合部４２と、表示側結合部４１と本体側結合部４２とを相対的に回動可能に連結したヒンジ機構部４３と、ヒンジ機構部４３を覆うヒンジカバー４４等を有する。
【００２４】
このヒンジユニット４は、２軸スイーベルヒンジと呼ばれるヒンジユニットであり、ヒンジ機構部４３は、表示側結合部４１と本体側結合部４２とを相対的に直交２軸に回動可能に連結している。すなわち、表示側結合部４１は、本体側結合部４２に対して、第１の回動中心軸Ｃ１の軸回り（第１の回動方向）に回動可能になっていると共に、第１の回動中心軸Ｃ１に直交する第２の回動中心軸Ｃ２の軸回り（第２の回動方向）に回動可能になっている。
【００２５】
ヒンジカバー４４は、樹脂製であり、ヒンジ機構部４３に取付けられている。ヒンジカバー４４は、表示側結合部４１が本体側結合部４２に対して第１の回動方向（第１の回動中心軸Ｃ１の軸回り）に回動するときには、本体側結合部４２に対して回動せず、表示側結合部４１が本体側結合部４２に対して第２の回動方向（第２の回動中心軸Ｃ２の軸回り）に回動するときには、表示側結合部４１と共に本体側結合部４２に対して回動する。従って、表示側結合部４１は、本体側結合部４２に対して第１の回動方向に回動するときには、ヒンジカバー４４に対しても回動し、本体側結合部４２に対して第２の回動方向に回動するときには、ヒンジカバー４４に対しては回動しない。
【００２６】
このような構成のヒンジユニット４において、表示側結合部４１は、第１の回動中心軸Ｃ１が表示ユニット３の下端縁と平行になるように、表示ユニット３の下端部の中央に結合されており、本体側結合部４２は、第２の回動中心軸Ｃ２が本体ユニット２の上面と垂直になるように、本体ユニット２の後端部の中央に結合されている。また、ヒンジカバー４４は、ヒンジ機構部４３の、表示ユニット３と本体ユニット２の両方の外部に位置する部分を覆っている。
【００２７】
光ディスク再生装置１は、このようにヒンジユニット４の表示側結合部４１及び本体側結合部４２が表示ユニット３及び本体ユニット２に結合されていることにより、表示ユニット３が本体ユニット２に対して直交２軸に回動可能に構成されている。
【００２８】
すなわち、表示ユニット３は、本体ユニット２に対して、表示ユニット３の下端部を通って表示ユニット３の下端縁と平行な第１の回動中心軸Ｃ１（ヒンジユニット４における第１の回動中心軸Ｃ１）の軸回り（第１の回動方向）に回動可能になっていると共に、本体ユニット２の後端部の中央を通って本体ユニット２の上面に垂直な第２の回動中心軸Ｃ２（ヒンジユニット４における第２の回動中心軸Ｃ２）の軸回り（第２の回動方向）に回動可能になっている。また、表示ユニット３は、本体ユニット２に対して第１の回動方向に回動するときには、ヒンジカバー４４に対しても回動し、本体ユニット２に対して第２の回動方向に回動するときには、ヒンジカバー４４に対しては回動しない。
【００２９】
表示ユニット３を第１の回動方向に回動させると、表示ユニット３が本体ユニット２に対して起立、倒伏するように回動して、表示ユニット３の向きが上下方向に変化する。また、表示ユニット３を第２の回動方向に回動させると、表示ユニット３が本体ユニット２の上面と平行に回動して、表示ユニット３の向きが左右方向に変化する。
【００３０】
光ディスク再生装置１は、使用するときには、表示ユニット３を開いた状態（表示ユニット３を本体ユニット２に起立させて、表示ユニット３を本体ユニット２から広げた状態）にされ（図１（ａ）参照）、携帯して持ち運ぶときには、表示ユニット３を閉じた状態（表示ユニット３を本体ユニット２に重なるように倒伏させて、表示ユニット３を本体ユニット２に折り畳んだ状態）にされる（図１（ｂ）参照）。
【００３１】
また、表示ユニット３は、表示ユニット３の本体ユニット２に対する回動角度を検出するための検出スイッチ３４と、検出スイッチ３４を切り換えるための伝達レバー３５とを有する。検出スイッチ３４及び伝達レバー３５は、表示ユニット３の内部（表示ケース３３の内部）に設けられている。
【００３２】
また、ヒンジユニット４のヒンジカバー４４は、伝達レバー３５を駆動するためのレバー駆動部４５を有する。レバー駆動部４５は、表示ユニット３の外部（表示ケース３３の外部）から第１の回動中心軸Ｃ１と平行な方向に沿って表示ユニット３の内部（表示ケース３３の内部）に延伸されており、表示ユニット３の内部に位置している。レバー駆動部４５は、樹脂製であり、ヒンジカバー４４と一体的に形成されている。
【００３３】
光ディスク再生装置１は、これら検出スイッチ３４、伝達レバー３５、及びレバー駆動部４５によって、表示ユニット３の回動角度を検出するようになっている。
【００３４】
図３（ａ）（ｂ）（ｃ）は、上記検出スイッチ３４、伝達レバー３５、及びレバー駆動部４５による表示ユニット３の回動角度を検出する構成を示す。
【００３５】
検出スイッチ３４は、回路基板３２に実装されている。この検出スイッチ３４は、押しボタン３４ａを有する押しボタンスイッチであり、押しボタン３４ａの変位によって、検出スイッチ３４の状態が第１の状態と第２の状態とに切り換えられるようになっている。すなわち、検出スイッチ３４は、押しボタン３４ａが押込まれていないときには、第１の状態にあり、そして、押しボタン３４ａが押圧されると、押しボタン３４ａが押込まれて、第２の状態になり、押しボタン３４の押圧が解除されると、押しボタン３４ａが元の位置（押込まれる前の位置）に戻って、第１の状態に戻るようになっている。また、検出スイッチ３４は、第１の状態にあるときに、第１の状態であることを示す第１の信号を出力し、第２の状態にあるときに、第２の状態であることを示す第２の信号を出力するようになっている。検出スイッチ３４は、押しボタン３４ａが回路基板３２に沿って第１の回動中心軸Ｃ１に垂直な方向に変位するように、回路基板３２に実装されている。
【００３６】
伝達レバー３５は、回路基板３２、表示ケース３３の前ケース３３ａ、及び回路基板３２に設けられた２つのガイド体３６にガイドされて、回路基板３２に沿って第１の回動中心軸Ｃ１に垂直な方向にスライド移動することができるように、回路基板３２上に取付けられている。また、伝達レバー３５は、バネ３７により、第１の回動中心軸Ｃ１に垂直な方向に付勢された状態で、第１の回動中心軸Ｃ１を中心軸としたレバー駆動部４５の外周面に当接されている。バネ３７は、伝達レバー３５と回路基板３２に設けられたバネ止め体３８との間に設けられており、伝達レバー３５をレバー駆動部４５の外周面に向けて押圧している。
【００３７】
レバー駆動部４５は、レバー駆動部４５の外周面（第１の回動中心軸Ｃ１を中心軸とした外周面）に沿って起伏を有するように形成されている。すなわち、レバー駆動部４５は、レバー駆動部４５の外周面に沿って、隆起した部分４５ａと隆起していない部分４５ｂとを有している。
【００３８】
上述のように、表示ユニット３は、本体ユニット２に対して第１の回動方向（第１の回動中心軸Ｃ１の軸回り）に回動するときには、ヒンジカバー４４に対しても回動するようになっている。すなわち、表示ユニット３は、本体ユニット２に対して第１の回動方向に回動するとき、ヒンジカバー４４の一部であるレバー駆動部４５に対しても回動する。従って、表示ユニット３が本体ユニット２に対して第１の回動方向に回動すると、伝達レバー３５が表示ユニット３と共にレバー駆動部４５に対して回動し、伝達レバー３５のレバー駆動部４５への当接点がレバー駆動部４５の外周面（第１の回動中心軸Ｃ１を中心軸とする外周面）に沿って移動することになる。
【００３９】
レバー駆動部４５の起伏は、表示ユニット３の回動角度が、表示ユニット３を本体ユニット２から広げた状態（表示ユニット３を開いた状態）にされたときの回動角度であるとき（図３（ｂ）参照）に、隆起していない部分４５ｂに伝達レバー３５が当接し、表示ユニット３の回動角度が、表示ユニット３を本体ユニット２に折り畳んだ状態（表示ユニット３を閉じた状態）にされたときの回動角度であるとき（図３（ｃ）参照）に、隆起した部分４５ａに伝達レバー３５が当接するように、形成されている。
【００４０】
そして、上記伝達レバー３５は、レバー駆動部４５の隆起していない部分４５ｂに当接しているときには、検出スイッチ３４の押しボタン３４ａを押圧せず、レバー駆動部４５の隆起している部分４５ａに当接しているときには、検出スイッチ３４の押しボタン３４ａを押圧するように、その形状が設計されている。
【００４１】
このような構成において、伝達レバー３５は、表示ユニット３が本体ユニット２に対して第１の回動方向（第１の回動中心軸Ｃ１の軸回り）に回動するときに、表示ユニット３と共にレバー駆動部４５に対して回動し、このレバー駆動部４５に対する回動に伴って、レバー駆動部４５により駆動されることにより、検出スイッチ３４の押しボタン３４ａを変位させて、検出スイッチ３４を第１の状態と第２の状態とに切り換える。
【００４２】
すなわち、伝達レバー３５は、表示ユニット３が本体ユニット２に対して回動するときに、表示ユニット３と共にレバー駆動部４５に対して回動することにより、レバー駆動部４５への当接点がレバー駆動部４５に形成された起伏に沿って変化する。このとき、伝達レバー３５は、レバー駆動部４５への当接点がレバー駆動部４５に形成された起伏に沿って変化することにより、レバー駆動部４５によって駆動（回路基板３２に沿って第１の回動中心軸Ｃ１に垂直な方向にスライド移動）されて、検出スイッチ３４の押しボタン３４ａを変位させる。そして、伝達レバー３５は、表示ユニット３の回動角度が、表示ユニット３を本体ユニット２から広げた状態（表示ユニット３を開いた状態）にされたときの回動角度であるときに、レバー駆動部４５の隆起していない部分４５ｂに当接して、検出スイッチ３４の押しボタン３４ａを押圧しない位置になり、検出スイッチ３４を第１の状態にする（図３（ｂ）参照）。また、伝達レバー３５は、表示ユニット３の回動角度が、表示ユニット３を本体ユニット２に折り畳んだ状態（表示ユニット３を閉じた状態）にされたときの回動角度であるときに、レバー駆動部４５の隆起した部分４５ａに当接して、検出スイッチ３４の押しボタン３４ａを押圧する位置になり、検出スイッチ３４を第２の状態にする（図３（ｃ）参照）。
【００４３】
また、光ディスク再生装置１は、検出スイッチ３４の出力に基いて、表示ユニット３を本体ユニット２に折り畳んだ状態であるか否かを判定する判定する判定部（不図示）や、表示ユニット３による画像の表示を制御する制御部（不図示）等を備えている。判定部は、検出スイッチ３４から第２の状態である（すなわち表示ユニット３の回動角度が、表示ユニットを本体ユニットに折り畳んだ状態にされたときの回動角度である）ことを示す第２の信号が所定時間（例えば５秒）以上継続して出力された場合に、表示ユニット３を本体ユニット２に折り畳んだ状態にされたと判定する。制御部は、本体ユニット２の光ディスク読取ユニット２１により光ディスクから読取った記録データに基く画像を表示ユニット３に表示させるように制御し、判定部により、表示ユニット３を本体ユニット２に折り畳んだ状態にされたと判定された場合には、表示ユニット３による画像の表示を停止させるように制御する。
【００４４】
このような構成の光ディスク再生装置１によれば、表示ユニット３が本体ユニット２に対して第１の回動方向（第１の回動中心軸Ｃ１の軸回り）に回動すると、伝達レバー３５がレバー駆動部４５により駆動される。そして、表示ユニット３の回動角度が、表示ユニット３を本体ユニット２から広げた状態（表示ユニット３を開いた状態）にされたときの回動角度であるときには、検出スイッチ３４の押しボタン３４ａが伝達レバー３５により押圧されずに、検出スイッチ３４が第２の状態にされる。また、表示ユニット３の回動角度が、表示ユニット３を本体ユニット２に折り畳んだ状態（表示ユニット３を閉じた状態）にされたときの回動角度であるときには、検出スイッチ３４の押しボタン３４ａが伝達レバー３５により押圧されて、検出スイッチ３４が第２の状態にされる。従って、検出スイッチ３４の出力に基いて、表示ユニット３の本体ユニット２に対する第１の回動方向（第１の回動中心軸Ｃ１の軸回り）の回動角度を検出することができる。
【００４５】
しかも、ヒンジカバー４４及びレバー駆動部４５が樹脂製であるため、レバー駆動部４５を樹脂によってヒンジカバー４４と一体的に容易に作製することができ、表示ユニット３の回動角度を検出する構成を低コストで実現できる。また、伝達レバー３５によって検出スイッチ３４を切り換えるようにしているため、伝達レバー３５の形状を変更することで、検出スイッチ３４の位置などを自由に設計変更することができ、表示ユニット３の回動角度を検出する構成の設計の自由度が高い。さらに、検出スイッチ３４、伝達レバー３５、及びレバー駆動部４５が表示ユニット３の内部（表示ケース３３の内部）にあるため、デザイン性を優れたものにすることができる。
【００４６】
また、このような構成の光ディスク再生装置１によれば、判定部（不図示）により、検出スイッチ３４の出力に基いて、表示ユニット３の本体ユニット２に対する第１の回動方向の回動角度が検出されて、表示ユニット３を本体ユニット２に折り畳んだ状態にされたことが判定される。このとき、検出スイッチ３４から第２の状態である（すなわち表示ユニット３の回動角度が、表示ユニット３を本体ユニット２に折り畳んだ状態にされたときの回動角度である）ことを示す第２の信号が所定時間（例えば５秒）以上継続して出力された場合に、表示ユニット３を本体ユニット２に折り畳んだ状態にされたと判定される。
【００４７】
従って、例えば、ユーザが表示ユニット３の回動角度を変化させるときに、表示ユニット３の回動角度が、一時的に、本体ユニット２に折り畳んだ状態の回動角度になったとしても、表示ユニット３を本体ユニット２に折り畳んだ状態にされたと判定されることがなく、表示ユニット３を本体ユニット２に折り畳んだ状態にされたと誤判定されるのを防ぐことができる。そして、表示ユニット３の回動角度が、所定時間以上、本体ユニット２に折り畳んだ状態の回動角度に保たれた場合（つまり、表示ユニット３に表示される画像を見ない（光ディスク再生装置１を使用しない）ことの意図をもって、表示ユニット３が折り畳まれた場合）に、表示ユニット３を本体ユニット２に折り畳んだ状態にされたと判定することができる。
【００４８】
これにより、ユーザが表示ユニット３の回動角度を変化させるときに、表示ユニット３の回動角度が、一時的に、本体ユニット２に折り畳んだ状態の回動角度になったとしても、表示ユニット３による画像の表示が制御部によって停止されることがなく、ユーザに不安感や不信感を与えないようにすることができる。
【００４９】
図４（ａ）（ｂ）は、表示ユニット３の回動角度を検出する別の構成例を示す。図４（ａ）（ｂ）に示す構成では、検出スイッチ３４は、上記実施形態と異なり、押しボタン３４ａが回路基板３２に垂直な方向に変位するようになっている。また、伝達レバー３５は、上記実施形態と異なり、この押しボタン３４ａを変位させる形状に設計されている。他の構成については、上記実施形態と同様である。表示ユニット３の回動角度を検出する構成は、このような構成であってもよい。
【００５０】
このような構成によっても、上記第１の実施形態と同様に、表示ユニット３が本体ユニット２に対して第１の回動方向（第１の回動中心軸Ｃ１の軸回り）に回動すると、伝達レバー３５がレバー駆動部４５により駆動されて、検出スイッチ３４が第１の状態と第２の状態とに切り換えられる。従って、上記第１の実施形態と同様に、検出スイッチ３４の出力に基いて、表示ユニット３の本体ユニット２に対する第１の回動方向（第１の回動中心軸Ｃ１の軸回り）の回動角度を検出することができる。
【００５１】
なお、本発明は、上記実施形態の構成に限られず、種々の変形が可能である。例えば、レバー駆動部は、突起や窪み、カム機構を有するように形成されており、伝達レバーは、レバー駆動部に形成された突起や窪み、カム機構によって駆動されるようになっていてもよい。伝達レバーの形状は、スイッチを設ける位置に応じて、適宜設計することが可能である。
【符号の説明】
【００５２】
１    光ディスク再生装置（電子機器装置）
２    本体ユニット
３    表示ユニット
４    ヒンジユニット
２１    光ディスク読取ユニット
２１ａ    スピンドルモータ
２１ｂ    光読取ヘッド
２２    本体ケース
２２ａ    下ケース
２２ｂ    上ケース
２２ｃ    読取開口
２２ｄ    ヒンジ結合開口
２３    カバー
２４    内蓋
３１    液晶パネル
３２    回路基板
３３    表示ケース
３３ａ    前ケース
３３ｂ    後ケース
３３ｃ    表示開口
３４    検出スイッチ
３４ａ    押しボタン
３５    伝達レバー
３６    ガイド体
３７    バネ
３８    バネ止め体
４１    表示側結合部
４２    本体側結合部
４３    ヒンジ機構部
４４    ヒンジカバー
４５    レバー駆動部
４５ａ    レバー駆動部の隆起した部分
４５ｂ    レバー駆動部の隆起していない部分
【図１】
2011209884.tif 000003
【図２】
2011209884.tif 000004
【図３】
2011209884.tif 000005
【図４】
2011209884.tif 000006